(57)【要約】      （修正有）【課題】中央部に立体的な膨らみをもたせ、顔面の鼻下と口元に空間を設ける一方で、伸縮率の異なる複数のニット布地を組み合わせたり、伸縮する方向を異ならせることにより、顔面との隙間と顔面への圧迫や違和感を緩和・軽減させるマスクを提供する。【解決手段】マスクは、少なくとも中央片部１と、中央片部の左右両側に縫合された脇片部２と、中央片部と脇片部の上下辺に設けられた縁部３と、左右一対の耳掛部４より構成され、中央片部と脇片部はニット布地からなり、中央片部と脇片部を互いに縫合する側部５は中央片部側が脇片部側に膨出する湾曲状に形成されている。【選択図】図１
0003227224.tif 000002
【実用新案登録請求の範囲】
【請求項１】
少なくとも中央片部と、該中央片部の左右両側に縫合された脇片部と、該中央片部と該脇片部の上下辺に設けられた縁部と、左右一対の耳掛部より構成され、該中央片部と脇片部はニット布地からなり、かつ、該中央片部と該脇片部を互いに縫合する側部は該中央片部側が該脇片部側に膨出する湾曲状に形成されているマスク。
【請求項２】
縫合前の前記中央片部と前記脇片部において、前記側部側の辺部は、互いに異なる曲率の湾曲状に形成されていることを特徴とする請求項１に記載のマスク。
【請求項３】
前記側部側の辺部において、前記中央片部の辺部の曲率が前記脇片部の辺部の曲率よりも大きくなるように形成されていることを特徴とする請求項２に記載のマスク。
【請求項４】
装着時に前記中央片部は顔面に対して縦方向に伸縮性を有し、前記脇片部は顔面に対して横方向に伸縮性を有することを特徴とする請求項１ないし３のいずれかに記載のマスク。    
【請求項５】
前記脇片部の耳側端部が切りっぱなしに形成されていることを特徴とする請求項１ないし４のいずれかに記載のマスク。
【請求項６】
前記耳掛部は、前記縁部から連続して耳側へ延伸するように形成されていることを特徴とする請求項１ないし５のいずれかに記載のマスク。
【考案の詳細な説明】
【技術分野】
【０００１】
本考案は、繰り返し洗濯可能なニット布地を用いたマスクに関する。
【背景技術】
【０００２】
従来のニット布地製マスクは、左右対称の扇形状の布地を表裏２枚重ね、その湾曲部分で縫合し、装着時に縫合部を顔面の中央部分に配置し布地を両頬部、両耳部へと延伸させ、鼻下及び口元に空間を設ける一方で、ニット布地の伸縮性を活用し、顔面に密閉させるものである。例えば、２層以上のニット布地を重ねてマスク本体を形成させ、マスク周縁に沿ってニット布地で一定厚みの縁取を形づくる枠体を形成し、中央部に鼻部の鼻下及び唇部を覆って空間を形づくる非伸縮性の接合部を形成したマスクの開示がある（特許文献１）。
【０００３】
しかしながら、従来のニット布地製マスクにおいて、装着時の鼻下及び口元の空間確保に課題を残し、さらに、ニット布地の収縮により、収縮力が弱いと顔面の脇部に隙間を生じさせ、収縮力が強いと顔面を圧迫させたり、中央の布地の縫合部分により違和感を与えたりさせるおそれがあった。
【先行技術文献】
【特許文献】
【０００４】
【特許文献１】特許第６１８８９８４号
【考案の概要】
【考案が解決しようとする課題】
【０００５】
そこで本考案は、従来のニット布地製マスクのかかる欠点を克服し、中央部に立体的な膨らみをもたせ、顔面の鼻下及び口元に空間を設ける一方で、伸縮率の異なる複数のニット布地を組み合わせたり、ニット布地の伸縮する方向を異ならせることにより、顔面との隙間と顔面への圧迫や違和感を緩和・軽減させることを目的とするマスクの提供を課題とするものである。
【課題を解決するための手段】
【０００６】
本考案は、上記課題を解決するものであり、少なくとも中央片部と、該中央片部の左右両側に縫合された脇片部と、該中央片部と該脇片部の上下辺に設けられた縁部と、左右一対の耳掛部より構成され、該中央片部と該脇片部はニット布地からなり、かつ、該中央片部と該脇片部を互いに縫合する側部は該中央片部側が該脇片部側に膨出する湾曲状に形成されているマスクである。
【０００７】
また本考案は、縫合前の前記中央片部と前記脇片部において、前記側部側の辺部は、互いに異なる曲率の湾曲状に形成されていることを特徴とするマスクである。
【０００８】
また本考案は、前記側部側の辺部において、前記中央片部の辺部の曲率が前記脇片部の辺部の曲率よりも大きくなるように形成されていることを特徴とするマスクである。
【０００９】
また本考案は、装着時に前記中央片部は顔面に対して縦方向に伸縮性を有し、前記脇片部は顔面に対して横方向に伸縮性を有することを特徴とするマスクである。
【００１０】
また本考案は、前記脇片部の耳側端部が切りっぱなしに形成されていることを特徴とするマスクである。
【００１１】
さらに本考案は、前記耳掛部は、前記縁部から連続して耳側へ延伸するように形成されていることを特徴とするマスクである。
【考案の効果】
【００１２】
本考案にかかるマスクは、装着時に中央片部が外側に膨らむ立体的な形状を形成し、顔面の鼻下及び口元に空間を設けることができる。
【００１３】
また、本考案にかかるマスクで、縫合前の前記中央片部と前記脇片部において、前記側部側の辺部が互いに異なる曲率の湾曲状に形成されているものは、中央片部においてより立体的な膨らみを形成させることが可能となる。
【００１４】
また、本考案にかかるマスクで、装着時に前記中央片部は顔面に対して縦方向に伸縮性を有し、前記脇片部は顔面に対して横方向に伸縮性を有するものは、装着時に前記中央片部は鼻、口などの起伏に追従しやすくなる一方で、前記脇片部は両頬から両耳にかけて伸びてその収縮力により頬に密着し、その結果、顔面との隙間と顔面への圧迫や違和感を緩和・軽減することができる。
【００１５】
さらに、本考案にかかるマスクで、前記脇片部の耳側端部が切りっぱなしに形成されているものは、端部に縫い目がないため、装着時に脇片部と顔面との間に段差が生じず密着効果が高まる。  
【図面の簡単な説明】
【００１６】
【図１】本考案に係るマスクの正面図。
【考案を実施するための形態】
【００１７】
以下、本考案のマスクの実施態様を、図面に基づいて具体的に説明する。なお、本考案はこれら実施態様に何ら制約されるものではない。
【００１８】
図１は本考案に係るマスクの正面図である。図に示すように、本考案に係るマスクは、中央片部１と、該中央片部１の左右両側に縫合された脇片部２と、該中央片部１と該脇片部２の上下辺に縫合された縁部３と、縁部３に連接する左右一対の耳掛部４を備える。以下、各部について詳しく説明する。
【００１９】
本考案に係るマスクの中央片部１は、装着時に鼻及び口元を中心に被覆可能に形成され、上下および左右の辺部を有するニット布地により構成されている。中央片部１を構成するニット布地は特に限定されないが、複数のニット布地を重ねて構成することが好ましい。
【００２０】
脇片部２は、中央片部１の左右両側に対に縫合されており、装着時に口元の両側から耳元にかけて両頬部を被覆可能に形成され、上下および左右の辺部を有するニット布地により構成されている。脇片部２を構成するニット布地は特に限定されないが、１枚のニット布地で構成することが好ましい。
【００２１】
中央片部１と脇片部２の上下辺には、縁部３が縫着されている。縁部３は、中央片部１と脇片部２の上下辺に沿って延伸するとともに、複数のニット布地を重ね、その内部に空間を有するよう形成されている。そして、縁部３内の空間には、長手方向に伸縮する部材が挿入されている。かかる伸縮性を有する部材は特に限定されないが、一例として、ウレタンテープが挙げられる。
【００２２】
さらに、本実施態様では、中央片部１と脇片部２の上辺に設けられた縁部３がそのまま延長し、中央片部１と脇片部２の下辺に設けられた縁部３の両端の縫合部７において縫合されることにより、耳掛部４を構成している。
【００２３】
本実施態様の耳掛部４は、縁部３から連続して耳側へ延伸するように形成され、縁部３と同様、内部に空間を有する略筒状に形成されている。そして、耳掛部４内の空間にも、長手方向に伸縮する部材が挿入されている。かかる伸縮性を有する部材は特に限定されないが、一例として、ウレタンテープが挙げられる。
【００２４】
なお、本実施態様では、耳掛部４は、縁部３と同様の構成で縁部３から連続するように形成されているが、耳掛部４の構成はこれに限らず、ゴム紐などの弾性部材により縁部３とは別個に形成してもよい。
【００２５】
本考案に係るマスクの特徴のひとつとして、中央片部１と脇片部２が縫合されている側部５は、マスクを平置きにした状態で、中央片部１側が脇片部２側に緩やかに膨出する湾曲状に形成されている。このように、側部５を湾曲状にすることで、装着時に中央片部１が外側に膨らむ立体的な形状を形成し、顔面の鼻下及び口元に空間を設けることができる。
【００２６】
本実施態様では、側部５は中央片部１の上辺寄りよりも、下辺寄りの方が脇片部２側に膨出している。かかる構成により、中央片部１は上辺よりも下辺の方の幅が広くなっている。逆に、脇片部２では、下辺よりも上辺の方の幅が広くなっている。この構造により、装着時に顔面の鼻の付け根から顎まで立体的に覆いやすくなる。
【００２７】
さらに、縫合前の中央片部１と脇片部２において、側部５側の辺部は、ともに同じ曲率で湾曲するように形成しても良いが、互いに異なる曲率（図示せず）で形成しても良い。具体的には、中央片部１の辺部の曲率を脇片部２の辺部の曲率よりも大きくなるように形成しても良い。これにより、両者を側部において縫合した後に、中央片部１においてより立体的な膨らみを形成させることが可能となる。
【００２８】
また、本考案のマスクは、中央片部１と脇片部２の布地の伸縮する方向を異ならせるようにしても良い。具体的には、装着時に中央片部１は顔面に対して縦方向に伸縮性を有し、脇片部２は顔面に対して横方向に伸縮性を有するようにしても良い。このように、それぞれの伸縮する方向を特定することにより、中央片部１は鼻、口などの起伏に追従しやすくなる一方で、脇片部２は両頬から両耳にかけて伸びてその収縮力により両頬に密着し、その結果、顔面との隙間と顔面への圧迫や違和感を緩和・軽減することができる。
【００２９】
また、本考案のマスクは、脇片部２の耳側端部６を切りっぱなしの仕様としても良い。このように、耳側端部６を切りっぱなしとすることにより、端部に縫い目がないため、脇片部２と顔面との間に段差が生じず密着効果が高まる。
【００３０】
さらに、本考案のマスクは、ノーズフィット材を中央片部１の上辺中央縁部（図示せず）に挿入しても良い。ノーズフィット材としては、繰返しの洗濯後も前記上辺中央縁部の表面を突き破らないものが好ましく、一例として複数の熱融着繊維を束ねて前記上辺中央縁部に挿入後、熱プレスにより固定形成されたものが挙げられる。
【符号の説明】
【００３１】
１  …  …  中央片部
２  …  …  脇片部
３  …  …  縁部
４  …  …  耳掛部
５  …  …  側部
６  …  …  耳側端部
７  …  …  縫合部
【図１】
0003227224.tif 000003